(57)【要約】      （修正有）【課題】オモリによる沈下速度の微妙な調整が可能で、微弱な浮力に対して影響を及ぼしにくく、沈下速度や浮力調整にシビアな釣りの際に使用するのに好適な天秤を提供する。【解決手段】天秤１０は、釣糸が挿通可能なソフトチューブ１１と、ソフトチューブ１１に固定され、ウキとオモリとを付け替え可能な連結具としてのスイベルスナップ１２を、備え、全体の比重が０．９〜１．１の範囲に調整されている。天秤１０を水と同程度の比重に構成したので、オモリによる沈下速度の微妙な調整が可能で、微弱な浮力に対して影響を及ぼしにくく、沈下速度や浮力調整にシビアな釣りの際に使用することが可能となった。【選択図】図２
0003234023.tif 000002
【実用新案登録請求の範囲】
【請求項１】
釣糸が挿通可能なチューブと、
前記チューブに固定され、ウキとオモリとを付け替え可能な連結具を、備え、
全体の比重が０．９〜１．１の範囲に調整されている天秤。
【請求項２】
前記チューブに外嵌された一対のビーズをさらに備え、
前記連結具は、前記一対のビーズに挟み込まれることで、前記チューブに対して固定されている、請求項１に記載の天秤。
【請求項３】
前記チューブに外嵌され、前記一対のビーズを挟み込む夜光性を有するパイプをさらに備える請求項２に記載の天秤。
【請求項４】
前記一対のパイプの外端面は、それぞれ前記チューブの両端面よりも外方に突出している請求項３に記載の天秤。
【請求項５】
前記連結具は、前記チューブに対して垂直な軸の回りに回転可能なスイベルスナップである請求項１から４のいずれかに記載の天秤。
【考案の詳細な説明】
【技術分野】
【０００１】
本考案は、魚釣りの際に用いられる天秤に関する。
【背景技術】
【０００２】
魚釣りの際に用いられる天秤は、特許文献１のように、従来は金属素材のものがほとんどで基本的に沈めることを前提に作られているため、特に飛ばしウキ（フロート）を使ったルアーゲーム（疑似エサを用いた釣り）には到底使用できなかった。
【０００３】
また、従来の天秤は、細かい動きや魚に誘いをかけるなどの仕掛けを竿で操作することを考えては作られておらず、遠投式の天秤において浮かせて表層を釣る事や沈めて底を釣る事を一つの天秤で自在に対応できるものがなかった。
【０００４】
このように、現在、沈下速度や浮力調整にシビアな極めて軽量で繊細な釣り方に対し、軽量でなおかつ微小なオモリの使い分けによる沈下速度の微妙な調整が可能な、あるいは微弱な浮力に対して影響を及ぼしにくいような、天秤が存在しなかった。
【先行技術文献】
【特許文献】
【０００５】
【特許文献１】実用新案登録第３０６１９０９号公報
【考案の概要】
【考案が解決しようとする課題】
【０００６】
そこで本考案の解決すべき課題は、オモリによる沈下速度の微妙な調整が可能な、微弱な浮力に対して影響を及ぼしにくい、沈下速度や浮力調整にシビアな釣りの際に使用するのに好適な天秤を提供することである。
【課題を解決するための手段】
【０００７】
上記した課題を解決するため、考案にかかる天秤を、釣糸が挿通可能なチューブと、このチューブに固定され、ウキとオモリとを付け替え可能な連結具を、備え、全体の比重が０．９〜１．１の範囲に調整されている構成としたのである。
【０００８】
考案にかかる天秤において、チューブに外嵌された一対のビーズをさらに備え、連結具は、一対のビーズに挟み込まれることで、チューブに対して固定されている構成を採用することが好ましい。
【０００９】
考案にかかる天秤において、チューブに外嵌され、一対のビーズを挟み込む夜光性を有するパイプをさらに備える構成を採用することが好ましい。
この場合に、一対のパイプの外端面は、それぞれチューブの両端面よりも外方に突出している構成を採用することがより好ましい。
【００１０】
考案にかかる天秤において、連結具は、チューブに対して垂直な軸の回りに回転可能なスイベルスナップである構成を採用することが好ましい。
【考案の効果】
【００１１】
考案にかかる天秤を以上のように全体の比重が０．９〜１．１の範囲というような水と同程度の比重に構成したので、オモリによる沈下速度の微妙な調整が可能な、微弱な浮力に対して影響を及ぼしにくい、沈下速度や浮力調整にシビアな釣りの際に使用するのに好適なものとすることが可能となった。
オモリやウキを自由に取り換えできるので、天秤ごと交換する必要がなく、現場での仕掛け交換の手間が軽減されることになった。
【図面の簡単な説明】
【００１２】
【図１】実施形態の天秤を釣り竿に取り付けてなる使用状態図
【図２】（ａ）は実施形態の天秤の正面図、（ｂ）他の例の天秤の正面図
【図３】実施形態の天秤の拡大部分縦断面図
【図４】実施形態の天秤に（ａ）はウキを取り付けた状態を示す図、（ｂ）はオモリを取り付けた状態を示す図
【考案を実施するための形態】
【００１３】
以下、図面を参照しつつ、本考案の実施形態について説明する。
図１から図４に示す実施形態の天秤１０は、魚釣りでの仕掛けにおいてオモリやウキ自体のウエイトや浮力を極力阻害せず、天秤１０を使用していない状況とほぼ変わらないような、繊細な棚調整および攻略が可能な、遠投での釣りにも直下での釣りにもいずれにも対応可能なものとなっている。
実施形態の天秤１０の大きさは特に限定されないが、取り扱いが容易で魚に警戒心を与えにくい寸法として、長さが７０〜１００ｍｍ、外径が３〜５ｍｍが例示できる。
【００１４】
図１に釣り具の一例を示す。そのロッド１には、その長手方向に沿って並列する環状のガイド１ａが形成されており、その後端部が手で握って操作するためのグリップ１ｂとなっている。
グリップ１ｂには、ハンドル２ａが付属するリール２が取り付けられており、リール２のスプール２ｂには釣糸３が巻回されている。この釣糸３はロッド１の先端に向かってガイド１ａを順次挿通している。
【００１５】
釣糸３の先端部の近傍には、実施形態の天秤１０が挿通することで取り付けられている。天秤１０は、釣糸３に沿ってスライド可能になっているが、ウキ止め４によりそのスライドの範囲が規制されている。
また、釣糸３は、特に限定されないが図示では手元側のラインと先端側のリーダーからなり、スイベル５を介して連結されている。
【００１６】
釣糸３の先端部には、ルアー６が取り付けられている。ルアー６には釣針６ａが付属している。リール２のハンドル２ａを正逆回転操作することで、釣糸３は繰り出され巻き戻され、ロッド１の操作も相俟って、ルアー６にターゲットとなる魚が好むような所望の動作をさせることが可能になっている。
また、天秤１０にオモリを付けると、ルアー６は沈降し、天秤１０にウキを付けると、ルアー６は浮上し、ターゲットとなる魚の所在する深さにルアー６を位置させることが可能となっている。
【００１７】
図２および図３のように、実施形態の天秤１０は、ソフトチューブ１１と、連結具としてのスイベルスナップ１２と、ソフトビーズ１３と、ソフトパイプ１４とからなる。
【００１８】
細長い円筒形のソフトチューブ１１は、低密度ポリエチレン（比重は約０．９１〜０．９２）などの比重の比較的軽く軟質の素材から形成されており、弾力性および可撓性を有している。このソフトチューブ１１には、釣糸３が挿通可能となっている。
このソフトチューブ１１が釣糸３に沿ってスライド可能であるため、天秤１０の水に対する抵抗が少なく、魚のアタリが感知しやすくなる。また、魚がルアー６をつついた際にも、天秤１０による抵抗力を軽減できるため、警戒心を抱かれないようにできる。
【００１９】
スイベルスナップ１２は、金属製の線材を折り曲げる等して作製され、図４のように、そのフック状の先端部１２ａにオモリ７やウキ８をワンタッチで付け替えできるようになっている（図４中、二点鎖線は水面を示している）。したがって、仕掛け交換の際に、天秤１０ごと変える必要がなく、レンジ攻略に対応するための手間が無くなり現場での作業が大幅に快適化する。なお、この先端部１２ａには、公知のヨリ戻し機能が付属している。
【００２０】
図２および図３のように、スイベルスナップ１２の後端部１２ｂはリング状に形成されており、ソフトチューブ１１に外嵌している。スイベルスナップ１２の先端部１２ａと後端部１２ｂとはジョイント１２ｃにより回転可能に連結されている。これにより、スイベルスナップ１２の先端部１２ａは、ソフトチューブ１１の長手方向に対して垂直な軸を中心に回転可能となっている。また先端部１２ａとジョイント１２ｃとの間には、遊びが設けられており、先端部１２ａが上記垂直な軸に対して一定程度傾斜することが許容されている。
したがって、動きの自由度が高く、オモリ７やウキ８の付け替え作業が一層容易となっている。
【００２１】
図２および図３のように、リング状のソフトビーズ１３は、ソフトチューブ１１に外嵌し、スイベルスナップ１２の後端部１２ｂを左右から挟み込んでいる。これにより、スイベルスナップ１２は、ソフトビーズ１３を介してソフトチューブ１１に対して固定されている。
ソフトビーズ１３は、低密度ポリエチレンなどの比重の比較的軽く軟質の素材から形成されており、弾力性および可撓性を有している。
ソフトビーズ１３は、接着などの適宜手段により、ソフトチューブ１１に対して固定されている。ソフトビーズ１３をソフトチューブ１１や後述するソフトパイプ１４よりも肉厚を厚くするなどしてより剛性を大きく形成することで、スイベルスナップ１２を挟み込む力を大きくすることが可能である。
【００２２】
ソフトビーズ１３の数は、スイベルスナップ１２を挟み込み可能である限りにおいて特に限定されず、図２（ａ）のような一対の場合のみならず、図２（ｂ）のように複数対とすることが可能である。
ソフトビーズ１３と後述のソフトパイプ１４との外径の大小関係は特に限定されず、図２（ａ）では、ソフトビーズ１３の外径がソフトパイプ１４よりも大きくなっており、図２（ｂ）では、ソフトビーズ１３の外径とソフトパイプ１４の外径がほぼ等しくなっている。
【００２３】
図２および図３のように、一対の細長い円筒形のソフトパイプ１４は、ソフトチューブ１１に外嵌し、ソフトビーズ１３を左右から挟み込んでいる。これにより、ソフトビーズ１３がソフトチューブ１１から抜け出ることが防止されている。
図示のように、各ソフトパイプ１４の外端面は、ソフトチューブ１１の両端面よりも外方に突出している（１ｍｍ程度余っている）。これにより釣糸３が、ソフトチューブ１１の端面の角に接触しにくくなり、糸切れしたりすることが抑制される。ソフトパイプ１４をソフトチューブ１１よりも肉厚を薄くするなどしてより柔軟に形成することで、このような糸切れ抑制効果を一層発揮させることもできる。
【００２４】
ソフトパイプ１４は、低密度ポリエチレンなどの比重の比較的軽く軟質の素材から形成されており、弾力性および可撓性を有している。
ソフトパイプ１４は、接着などの適宜手段により、ソフトチューブ１１に対して固定されている。
このソフトパイプ１４は、公知の夜光塗料、蓄光塗料、蛍光塗料を含むことで夜光性を有している。これにより、夜釣りの際の視認性、利便性が向上する。
【００２５】
実施形態の天秤１０は、その全体の比重が０．９〜１．１の範囲というように、非常に軽い比重に調整されている。かかる調整は、天秤１０のソフトチューブ１１、ソフトビーズ１３、ソフトパイプ１４の材質を上述のように、比重が非常に軽いものとすることで実現できる。
すなわち、最低限強度を維持する必要があるスイベルスナップ１２以外は、比重の重い金属素材の使用を無くし、大部分を水よりも比重が軽い材料で構成する。
【００２６】
このように総重量が軽いため、従来の天秤に比べて、より繊細で感度の良い釣りを実現することができる。特に、０．１ｇ単位での浮力調整をおこなうなどして、軽い竿での扱いで機能を十分に発揮することができる。
天秤１０の比重が水に近いため、流れに対する措置や魚の回遊層を極小のオモリやフロートによる微調整によって水中のあらゆる層を狙って自在に攻めることが可能である。なお、水流や牽引力によって水中を漂わせるサスペンド釣法も可能となる。
【００２７】
また、実施形態の天秤１０は、その大部分をなすソフトチューブ１１、ソフトビーズ１３、ソフトパイプ１４が弾力性と可撓性を有しているため、適宜変形することで、キャスト時の糸絡みが解消され、糸自体へのダメージも軽減できる。
【００２８】
天秤１０と釣糸３やオモリ７、ウキ８との連結器具を必要としない事で、極限までのダウンサイジング化が可能となるため、小型の仕掛けやルアーのシルエットを邪魔しなくなり、従来は装着に無理のあった極めて小型の仕掛けやルアーに集魚効果を持たせることも可能となる。
また、寸法が小さく取り付けのし難いスプリットリングやスナップなども必要なくなり、現場でのカスタムもはるかに容易となる。
【００２９】
今回開示された実施形態はすべての点で例示であって制限的なものではない。本考案の範囲は実用新案登録請求の範囲によって示され、その範囲内およびこれと均等の意味でのすべての修正と変形を含むものとする。
【００３０】
たとえば実施形態では、チューブ、ビーズ、パイプを、それぞれソフトチューブ１１、ソフトビーズ１３、ソフトパイプ１４として軟質の素材から形成したが、比重が軽い限りおいてこれに限定されず、高密度ポリエチレン（比重は約０．９４〜０．９６５）など低密度ポリエチレンに比べて硬質の素材や、ポリプロピレン（比重は約０．９０〜０．９１）など硬質の素材から形成することも可能である。
【００３１】
実施形態では、スイベルスナップ１２をソフトビーズ１３で挟み込んでソフトチューブ１１に固定しているが、スイベルスナップ１２のソフトチューブ１１に対する固定の態様はこれに限定されず、たとえばソフトビーズ１３を省略して、ソフトチューブ１１に直接固定することも可能である。
また、ソフトビーズ１３を省略して、ソフトパイプ１４によりスイベルスナップ１２を挟み込んで固定することも可能である。
実施形態では、ソフトビーズ１３がソフトチューブ１１から脱落しないように、ソフトパイプ１４で挟み込んでいるが、ソフトパイプ１４を省略することも可能である。
【００３２】
また、実施形態では、連結具としてスイベルスナップ１２を例示したが、連結具はオモリ７やウキ８を取り外し可能である限りにおいてこれに限定されず、回転不能のものを採用することも可能である。
実施形態では、天秤１０は、ソフトチューブ１１、スイベルスナップ１２、ソフトビーズ１３、ソフトパイプ１４のみからなるが、考案にかかる天秤は、それ以外の部材を含むことも許容する。たとえば、全体の比重が０．９〜１．１の範囲にある限りにおいて、耐強度を向上させるためにソフトチューブ１１の内部に線材を挿入することも可能である。
【符号の説明】
【００３３】
１  ロッド
１ａ  ガイド
１ｂ  グリップ
２  リール
２ａ  ハンドル
２ｂ  スプール
３  釣糸
４  ウキ止め
５  スイベル
６  ルアー
６ａ  釣針
７  オモリ
８  ウキ
１０  天秤
１１  ソフトチューブ
１２  スイベルスナップ
１２ａ  先端部
１２ｂ  後端部
１２ｃ  ジョイント
１３  ソフトビーズ
１４  ソフトパイプ
【図１】
0003234023.tif 000003
【図２】
0003234023.tif 000004
【図３】
0003234023.tif 000005
【図４】
0003234023.tif 000006